(57)【要約】【課題】ＬＥＤユニットを修理または交換する際に、手間を省くことができ、コストを低減できる照明器具を提供する。【解決手段】ＬＥＤユニット１１と、ＬＥＤユニット１１を収納する灯具１２と、灯具１２を支持するアーム１５と、アーム１５と灯具１２との間に設けられたヒンジ部１６と、ＬＥＤユニット１１に電源を供給する電源ブロック１３と、ＬＥＤユニット１１と電源ブロック１３とを電気的に接続する第１電線２１および第２電線２４とを備え、第１電線２１および第２電線２４は、灯具１２におけるヒンジ部１６とＬＥＤユニット１１間以外の箇所に配置された電線コネクタ２０によって接続されている。【選択図】図２
2012099428.tif 000002
【特許請求の範囲】
【請求項１】
ＬＥＤユニットと、
前記ＬＥＤユニットを収納する灯具と、
前記灯具を支持するアームと、
前記アームと前記灯具との間に設けられたヒンジ部と、
前記ＬＥＤユニットに電源を供給する電源ブロックと、
前記ＬＥＤユニットと前記電源ブロックとを電気的に接続する電線とを備え、
前記電線は、前記灯具における前記ヒンジ部と前記ＬＥＤユニット間以外の箇所に配置された電線コネクタによって接続されている照明器具。
【請求項２】
請求項１に記載の照明器具において、
前記灯具における前記ヒンジ部から前記電線コネクタに至る個所に、前記電線を止着する止着部が設けられている照明器具。
【請求項３】
請求項２に記載の照明器具において、
前記止着部は、前記ＬＥＤユニットの外側に配置されている照明器具。
【発明の詳細な説明】
【技術分野】
【０００１】
本発明は、照明器具に関する。
【背景技術】
【０００２】
従来、ＬＥＤ（Light Emitting Dilde）ユニットを有する照明器具としては、ＬＥＤユニットと電源ブロックとの間が、途中において分離できない連続した電線によって接続された照明器具が開示されている（例えば、特許文献１参照）。
【先行技術文献】
【特許文献】
【０００３】
【特許文献１】特開２００６−１２７５５号公報（請求項３、図１、段落０００９）
【発明の概要】
【発明が解決しようとする課題】
【０００４】
しかしながら、従来の照明器具は、ＬＥＤユニットが故障した場合、ＬＥＤユニットと電源ブロック間の電線を切断し、ＬＥＤユニットを新しいものに交換して電線を再接続したり、ＬＥＤユニットと電源ブロック間の電線が通されている部品全体を分解し、電源ブロックから電線を外してから、ＬＥＤユニットを修理する必要があった。このため、修理に手間がかかり、コストが高くなるという問題があった。
【０００５】
本発明は、ＬＥＤユニットの修理または交換に際し、手間を省き、コストを低減できる照明器具を提供することにある。
【課題を解決するための手段】
【０００６】
本発明の照明器具は、ＬＥＤユニットと、前記ＬＥＤユニットを収納する灯具と、前記灯具を支持するアームと、前記アームと前記灯具との間に設けられたヒンジ部と、前記ＬＥＤユニットに電源を供給する電源ブロックと、前記ＬＥＤユニットと前記電源ブロックとを電気的に接続する電線とを備え、前記電線は、前記灯具における前記ヒンジ部と前記ＬＥＤユニット間以外の箇所に配置された電線コネクタによって分離可能に接続されている。
【０００７】
また、本発明の照明器具は、前記灯具における前記ヒンジ部から前記電線コネクタに至る個所に、前記電線を止着する止着部が設けられている。
【０００８】
また、本発明の照明器具は、前記止着部は、前記ＬＥＤユニットの外側に配置されている。
【発明の効果】
【０００９】
本発明によれば、ＬＥＤユニットの交換や修理を容易に行うことができ、手間を省き、コスト低減が可能となる。
【図面の簡単な説明】
【００１０】
【図１】本発明に係る実施形態の照明器具を示す図
【図２】実施形態の灯具、ＬＥＤユニット、ヒンジ部を示す縦断面図
【図３】灯具の底面図
【図４】図３のＡ−Ａ断面図
【発明を実施するための形態】
【００１１】
以下、本発明に係る実施形態の照明器具について、図面を参照して説明する。
本実施形態の照明器具を、図１〜図４を用いて説明する。図１に示すように、本実施形態の照明器具１０は、ＬＥＤユニット１１（図２参照）と、ＬＥＤユニット１１を収納する灯具１２と、ＬＥＤユニット１１に電源を供給する電源ブロック１３と、電源ブロック１３を収容する本体１４と、灯具１２と本体１４とを連結するアーム１５と、灯具１２とアーム１５との間に設けられたヒンジ部１６とを備えている。
【００１２】
また、この照明器具１０は、図２に示すように、一端がＬＥＤユニット１１に接続され、他端が電線コネクタ２０の雄コネクタ２０Ａに接続された第１電線２１と、図３に示すように、一端が電線コネクタ２０の雌コネクタ２０Ｂに接続され、他端が電源ブロック１３（図１参照）に接続された第２電線２４とを備えている。第１電線２１と第２電線２４とは、電線コネクタ２０によって分離可能に接続されている。また、電線コネクタ２０は、灯具１２内におけるヒンジ部１６と、ＬＥＤユニット１１との間以外の箇所に配置されている。
なお、第１電線２１を雌コネクタ２０Ｂに接続し、第２電線２４を雄コネクタ２０Ａに接続してもよい。
【００１３】
灯具１２内の第２電線２４は、ＬＥＤユニット１１の外側に配置され、止着部２５によって灯具１２に止着されている。止着部２５は、図４に示すように、灯具１２に設けられた一対の挾持片２５Ａおよび挾持片２５Ｂを有している。第２電線２４は、一対の挾持片２５Ａおよび挾持片２５Ｂによって挾持されている。
【００１４】
この照明器具１０においては、第１電線２１と第２電線２４とを、電線コネクタ２０によって分離可能に接続されていることにより、ＬＥＤユニット１１と灯具１２とを簡単に分解でき、アーム１５や本体１４を分解することなく、ＬＥＤユニット１１を容易に交換し、または修理できる。従って、ＬＥＤユニット１１の修理や交換をする際に、手間を省くことができるため、コスト低減が可能となる。
【００１５】
また、ヒンジ部１６とＬＥＤユニット１１との間以外の箇所に、電線コネクタ２０が配置されていることにより、灯具１２をコンパクトにすることが可能となる。これに対して、仮にヒンジ部１６とＬＥＤユニット１１との間に、電線コネクタ２０を配置した場合には、灯具１２が大型化する。
【００１６】
また、灯具１２におけるヒンジ部１６から電線コネクタ２０に至る個所に、第２電線２４を止着する止着部２５が設けられていることにより、第２電線２４が他の部分に絡まるのを防止できる。
【００１７】
さらに、止着部２５は、ＬＥＤユニット１１の外側に設けられていることにより、灯具１２を回動させたときや、照明器具１０の組立時等に、第２電線２４がＬＥＤユニット１１の照明方向（ＬＥＤユニット１１の前面）に回り込むのを防止し、照明が遮られるのを防止できる。
【符号の説明】
【００１８】
１０  照明器具
１１  ＬＥＤユニット
１２  灯具
１３  電源ブロック
１４  本体
１５  アーム
１６  ヒンジ部
２０  電線コネクタ
２０Ａ  雄コネクタ
２０Ｂ  雌コネクタ
２１  第１電線
２４  第２電線
２５  止着部
２５Ａ  挾持片
２５Ｂ  挾持片
【図１】
2012099428.tif 000003
【図２】
2012099428.tif 000004
【図３】
2012099428.tif 000005
【図４】
2012099428.tif 000006